(57)【要約】【課題】被測定者に冷たいという不快感を与えることが防止されるとともに、被測定者と体脂肪計との間の導電性能が維持されるマット式体脂肪計を提供する。【解決手段】フットマットと当該フットマット内に配置された体脂肪計とを備えたマット式体脂肪計であって、フットマットは、ベース層と、当該ベース層に積層された生地層とを備え、ベース層には開口部が設けられ、体脂肪計は、開口部内に収納され、ケースと、当該ケース内に設置された測定モジュールとを備え、測定モジュールは、少なくとも、ケースの上に露出される導電部を有し、生地層において導電部と対応した部位には、センシングユニットが設置され、センシングユニットは、導電性糸を生地層に織り込んで、生地層の上面と下面から露出させることによって構成されている。【選択図】図４
2018061820.tif 000002
【特許請求の範囲】
【請求項１】
フットマットと体脂肪計とを備えたマット式体脂肪計であって、
前記フットマットは、ベース層と、当該ベース層に積層された生地層とを備え、前記ベース層には開口部が設けられており、
前記体脂肪計は、前記開口部内に収納されており、
前記体脂肪計は、ケースと、当該ケース内に設置された測定モジュールとを備え、当該測定モジュールは、少なくとも、前記ケースの上に露出される導電部を有しており、
前記生地層において前記導電部と対応した部位には、センシングユニットが設置されており、
前記センシングユニットは、導電性糸を前記生地層に織り込んで、前記生地層の上面と下面から露出させることによって構成されている、ことを特徴とするマット式体脂肪計。
【請求項２】
請求項１に記載のマット式体脂肪計において、
前記生地層は、前記ベース層に粘着されている、ことを特徴とするマット式体脂肪計。
【請求項３】
請求項１または２に記載のマット式体脂肪計において、
前記フットマットのベース層は、ゴム、ハードスポンジ、または発泡材を素材として構成されている、ことを特徴とするマット式体脂肪計。
【請求項４】
請求項１または２に記載のマット式体脂肪計において、
前記フットマットのベース層は、生地によって構成され、前記生地層と一体に織り込まれて構成されている、ことを特徴とするマット式体脂肪計。
【請求項５】
請求項１〜４のいずれか１項に記載のマット式体脂肪計において、
前記生地層は、隔離生地と、当該隔離生地の周縁を取り囲むエッジカバーとを備えている、ことを特徴とするマット式体脂肪計。
【請求項６】
請求項５に記載のマット式体脂肪計において、
前記隔離生地は、カーペットまたはマットとする、ことを特徴とするマット式体脂肪計。
【請求項７】
請求項５または６に記載のマット式体脂肪計において、
前記エッジカバーは、前記ベース層の周縁を覆うように、前記隔離生地の周縁に沿って内方へ凹む構造を有している、ことを特徴とするマット式体脂肪計。
【請求項８】
請求項７に記載のマット式体脂肪計において、
前記エッジカバーは、前記隔離生地と同じ織物素材を用いて、前記隔離生地と一体的に織られて構成されたものである、ことを特徴とするマット式体脂肪計。
【請求項９】
請求項１〜８のいずれか１項に記載のマット式体脂肪計において、
前記ケースは、上蓋と、基底とによって構成され、前記導電部は、前記上蓋の表面に露出されている、ことを特徴とするマット式体脂肪計。
【請求項１０】
請求項９に記載のマット式体脂肪計において、
前記基底の下方には、複数のパッドが設置されている、ことを特徴とするマット式体脂肪計。
【請求項１１】
請求項１〜１０のいずれか１項に記載のマット式体脂肪計において、
前記測定モジュールは、制御回路基板をさらに備え、前記導電部は、前記制御回路基板と電気的に接続され、前記導電部と前記制御回路基板との間に、導電リードが設置されている、ことを特徴とするマット式体脂肪計。
【請求項１２】
請求項１〜１１のいずれか１項に記載のマット式体脂肪計において、
前記導電部は、導電性金属または導電性シリコーンによって構成されたものである、ことを特徴とするマット式体脂肪計。
【発明の詳細な説明】
【技術分野】
【０００１】
本発明は、体脂肪計に関し、特に、マット式体脂肪計に関する。
【背景技術】
【０００２】
社会の進歩および快適化に伴い、現代人の生活品質が益々向上し、特に、飲食で摂取できる栄養成分がより豊富になってきているため、肥満になりやすく、さらに、肥満によって他の病気が引き起こされる恐れがある。そのため、体重および体脂肪（体脂肪率）は、現代人に重視される健康指標となっている。
【０００３】
現在、市場で流通している体脂肪計において、体重と体脂肪とを同時に測定することが可能なものがある。このような体脂肪計では、体脂肪の測定について、例えばセンシングチップを用いて人体内に微小電流を流し、受信した信号の変化を検出することによって体脂肪率を計算するようになっている。そのため、体脂肪計には、例えば金属製のセンシングチップを設置する必要がある。当該金属製のセンシングチップは、人体と接触する導電部とされ、例えば、被測定者が体脂肪計の上に立って足裏（裸足）が上記導電部と接触した状態でのみ、体脂肪計が人体から必要な信号変化を獲得して被測定者の体脂肪を測定することができるようになっている。
【発明の概要】
【発明が解決しようとする課題】
【０００４】
しかしながら、寒い時期、特に冬の間は、被測定者が金属材質のセンシングチップを足裏で直接踏むと、冷たい等といった不快感がある。そのため、体脂肪計の使用頻度が下がり、使用者は、自分の体重および体脂肪の状況に対して徐々に無関心になってしまう。その結果、体重オーバーまたは肥満といった健康に悪い影響を与える要素を、体脂肪計によって使用者に継続的に知らせて、使用者に意識させるといったことができなくなり、使用者の自分の健康に対する関心が下がってしまう恐れがある。
【０００５】
このような状況に鑑み、本発明の発明者らは、上述した問題点を解決するために、入念な研究を行い、理論と実践を結合することによって、上記問題点を解決可能で、かつ設計が合理的な技術案を獲得した。
【０００６】
本発明は、導電可能な織物生地を隔離層として設けることにより、金属製のセンシングチップの低い温度が被測定者の足裏に伝達されて被測定者に冷たいという不快感を与えることが防止されるとともに、被測定者と体脂肪計との間の導電性能が維持される、マット式体脂肪計を提供することを主な目的としている。
【０００７】
さらに、本発明は、織物生地を設けることによって、室内に置かれた場合、マットと同じように室内の美観性を向上させることが可能な、マット式体脂肪計を提供することをもう１つの目的としている。
【課題を解決するための手段】
【０００８】
上記目的を達成するため、本発明は、マット式体脂肪計を提供する。当該マット式体脂肪計は、フットマットと当該フットマット内に配置された体脂肪計とを備えており、前記フットマットは、ベース層と、当該ベース層に積層された生地層とを備え、前記ベース層には開口部が設けられており、前記体脂肪計は、前記開口部内に収納されており、前記体脂肪計は、ケースと、当該ケース内に設置された測定モジュールとを備え、当該測定モジュールは、少なくとも、前記ケースの上に露出された導電部を有しており、前記生地層において前記導電部と対応した部位には、センシングユニットが設置されており、前記センシングユニットは、導電性糸を前記生地層に織り込んで、前記生地層の上面から下面まで露出させることによって構成されていることを特徴としている。
【０００９】
本発明の上記マット式体脂肪計において、前記生地層は、前記ベース層に粘着されることが好ましい。また、前記フットマットのベース層は、ゴム、ハードスポンジ、または発泡材を素材として構成されていることが好ましい。また、前記フットマットのベース層は、生地によって構成され、前記生地層と一体に紡織されて構成されていることが好ましい。
【００１０】
また、本発明の上記マット式体脂肪計において、前記生地層は、隔離生地と、当該隔離生地の周縁を取り囲むエッジカバーとを備えることが好ましく、この場合、前記隔離生地は、カーペットまたはマットとすることが好ましい。また、前記エッジカバーは、前記ベース層の周縁を覆うように、前記隔離生地の周縁に沿って内方へ凹む構造を有するものとしてもよく、さらに、前記エッジカバーは、前記隔離生地と同じ織物素材を用いて、前記隔離生地と一体的に織られて構成されていることが好ましい。
【００１１】
また、本発明の上記マット式体脂肪計において、前記ケースは、上蓋と、基底とによって構成され、前記導電部は、前記上蓋の表面に露出されていることが好ましく、この場合、前記基底の下方には、複数のパッドが設置されることが好ましい。
【００１２】
また、本発明の上記マット式体脂肪計において、前記測定モジュールは、制御回路基板をさらに備え、前記導電部は、前記制御回路基板と電気的に接続され、前記導電部と前記制御回路基板との間に、導電リードが設置されていることが好ましい。また、前記導電部は、導電性金属または導電性シリコーンによって構成されていることが好ましい。
【００１３】
本発明の上記構成によれば、体脂肪計がフットマットの生地層下方のベース層の開口部内に配置されており、センシングユニットが、導電性糸を生地層に織り込んで生地層の上面から下面まで露出させているため、被測定者の足裏と体脂肪計との間に生地層が介在することになり、被測定者に冷たいという不快感を与えることなく、体脂肪の測定を実現することができる。
【００１４】
さらに、本発明の上記構成によれば、生地層をカーペットまたはマットとすることができるため、室内に置かれた場合、室内の美観性を向上させることができる。
【図面の簡単な説明】
【００１５】
【図１】図１は本発明の一実施の形態に係るマット式体脂肪計の構成を示す模式的な分解斜視図である。
【図２】図２は上記マット式体脂肪計の模式的な組立斜視図である。
【図３】図３は他の角度から見た上記マット式体脂肪計の模式的な組立斜視図である。
【図４】図４は上記マット式体脂肪計の図２中のＣ−Ｃ線断面図である。
【発明を実施するための形態】
【００１６】
本発明の特徴および技術内容を明らかにするために、以下の実施の形態について、図面を参照しながら詳細に説明する。但し、本実施の形態において、図面および説明の内容は、参照のためのものであり、本発明を限定するものではない。
【００１７】
本実施の形態は、マット式体脂肪計Ａを提供する。図１、図２は、それぞれ、本実施の形態のマット式体脂肪計Ａの模式的な分解斜視図、模式的な組立斜視図であり、図３は、マット式体脂肪計Ａを他の角度から見た模式的な組立斜視図であり、図４は、マット式体脂肪計Ａの（図２中のＣ−Ｃ線断面）断面図である。
【００１８】
マット式体脂肪計Ａは、室内（例えば、家の寝室またはバスルームなど）に置かれるものであり、特に、化粧台または洗面台等の前の床に配置されると、使用者が便利に使うことができる。
【００１９】
マット式体脂肪計Ａは、図１に示すように、フットマット１と、当該フットマット１内に配置される体脂肪計２とを備えている。
【００２０】
フットマット１は、図１および図４に示すように、ベース層１０と、生地層１１とを備えている。ベース層１０は、例えば、ゴム、ハードスポンジまたは発泡材（例えばＥＶＡ）等の素材で構成されるものである。ベース層１０には、中空の開口部１００が形成されており、体脂肪計２は、当該開口部１００内に収納されるようになっている。
【００２１】
一方、生地層１１は、例えば、織物生地で構成され、ベース層１０に直接粘着される（ベース層１０に積層される）ようになっている。好ましくは、生地層１１は、隔離生地１１０と、当該隔離生地１１０の周縁を囲むエッジカバー１１１とを備えている。隔離生地１１０は、通常のカーペット材またはマット材で構成されるものとすることができる。さらに、当該隔離生地１１０の外面において、デザイン的な必要に応じて任意の模様（図示省略）を織ることによって、美観性を向上することができる。
【００２２】
エッジカバー１１１は、隔離生地１１０の周縁に沿って内方へ凹む部分カバー構造（即ち、図１に示すように、隔離生地１１０の周縁に沿って内側に向けて開口する凹溝１１１ａが形成されている構造）を有している。また、エッジカバー１１１は、隔離生地１１０と同じ織物生地によって、隔離生地１１０と一体に構成されることができる。さらに、エッジカバー１１１は、ある程度の弾性を有し、上述のベース層１０の周縁をその凹溝１１１ａ内に配置した状態で、当該ベース層１０を生地層１１の下面に重ね合わせることができる。但し、他の実施の形態において、ベース層１０は、織物生地などの素材によって構成されるものとしてもよい。この場合、ベース層１０を、当該生地層１１と一体に織って構成するようにしてもよい。
【００２３】
図４に示すように、体脂肪計２は、ベース層１０の開口部１００内に収納されており、ケース２０と、当該ケース２０の内部に設置された測定モジュール２１とを備えている。測定モジュール２１は、少なくとも、人体の体重および体脂肪（体脂肪率）などを測定する機能を有している。
【００２４】
ケース２０は、上蓋２００と基底２０１とから構成されており、基底２０１の下面には、滑り止め用の複数のパッド２０２がさらに設けられている。
【００２５】
一方、測定モジュール２１は、制御回路基板２１０と、当該制御回路基板２１０に電気的に接続される導電部２１１とを有している。導電部２１１と制御回路基板２１０との間には、導電リード２１２が設置されている。導電部２１１は、ケース２０における上蓋２００に覆われていない領域に設けられており、生地層１１に覆われていない状態では、上蓋２００外に露出するようになっている。導電部２１１は、導電性金属または導電性シリコーンによって構成されるものである。これにより、被測定者が体重により導電部２１１を押圧する時に、導電部２１１が導電リード２１２を押すことによって、被測定者の体重値が測定される。同時に、導電部２１１は、導電リード２１２を介して微小電流を被測定者の人体内に流すことによって得られた応答信号の変化に基づいて被測定者の体脂肪を計算する。なお、体脂肪の測定は、公知技術であり、しかも、本発明の特許保護範囲に属するものではないので、ここでは、その説明を省略する。
【００２６】
また、図１、図２および図４に示すように、本実施の形態では、生地層１１における体脂肪計２の導電部２１１と対応した部位（上下に重なり合う部位）には、導電部２１１と電気的に接続されるセンシングユニット１１２が設置されている。当該センシングユニット１１２は、導電性糸を生地層１１の隔離生地１１０に織り込むことによって構成されたものである。導電性糸が隔離生地１１０の上面と下面との間を繰り返し往復するように隔離生地１１０に縫われるようになっている。そのため、センシングユニット１１２は、生地層１１の上面から下面までの間に設けられており、生地層１１の上面および下面からセンシングユニット１１２が露出するようになっている。導電性糸は、一定比率の導電性繊維（例えば、ステンレス）に通常の繊維を混合して紡績されたものであり、導電性を兼備している。そのため、被測定者がフットマット１の上に立っている際に、足裏と体脂肪計２との間に隔離生地１１０が介在しているとしても、導電性糸で構成されたセンシングユニット１１２によって体脂肪計２の導電部２１１からの微小電流を人体に伝導することができる。これにより、体脂肪計２により、人体の体脂肪率を測定し算出することができるようになっている。
【００２７】
さらに、体脂肪計２は、ディスプレイ（図示省略）を備え、算出した被測定者の体脂肪を上記ディスプレイに表示するように構成されてもよい。この場合、隔離生地１１０において、上記ディスプレイに対応する開口部を設けるだけでよい。また、体脂肪計２は、その制御回路基板２１０に無線送信機（図示省略）が設置されるとともに、化粧台または洗面台にある鏡に無線受信機（図示省略）が設置され、無線通信によって算出された体脂肪の数値を鏡に設けたディスプレイに表示するように構成されてもよい。
【００２８】
上述した構成によって、本実施の形態のマット式体脂肪計Ａを実現することができる。当該マット式体脂肪計Ａによれば、フットマット１に生地層１１が設けられているため、被測定者は、体脂肪計２の上に立っている時に、足裏が生地で構成された隔離生地１１０と接触するので、体脂肪計２の導電部２１１に直接接触することなく、冷たいという不快さを感じることがないだけではなく、織物生地の快適さを感じながら、体脂肪計２で体重および体脂肪を測定することができる。そのため、冷たいという不快感に起因する使用者の体脂肪計に対する使用意欲の低下を防止することができる。さらに、生地層１１によって体脂肪計２がカバーされるので、マット式体脂肪計Ａは、室内において、カーペットまたはマットのように床に配置されることによって、室内の美観性を向上させることができる。
【００２９】
上述した実施の形態は、本発明を実施するための好ましい実施の形態の一例であり、本発明を限定するものではない。したがって、本発明に関する上記説明の内容および図面と同等のいかなる構造変化、改良なども本発明の範囲に含まれていることは、言うまでもない。
【符号の説明】
【００３０】
１        フットマット
１０      ベース層
１００    開口部
１１      生地層
１１２    センシングユニット
２        体脂肪計
２０      ケース
２００    上蓋
２０１    基底
２０２    パッド
２１      測定モジュール
２１０    制御回路基板
２１１    導電部
２１２    導電リード
【図１】
2018061820.tif 000003
【図２】
2018061820.tif 000004
【図３】
2018061820.tif 000005
【図４】
2018061820.tif 000006
【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
フットマットと体脂肪計とを備えたマット式体脂肪計であって、
前記フットマットは、ベース層と、当該ベース層に積層された生地層とを備え、前記ベース層には開口部が設けられており、
前記体脂肪計は、前記開口部内に収納されており、
前記体脂肪計は、ケースと、当該ケース内に設置された測定モジュールとを備え、当該測定モジュールは、少なくとも、前記ケースの上に露出される導電部を有しており、
前記生地層において前記導電部と対応した部位には、センシングユニットが設置されており、
前記センシングユニットは、導電性糸を前記生地層に織り込んで、前記生地層の上面と下面から露出させることによって構成され、
前記生地層は、隔離生地と、当該隔離生地の周縁を取り囲むエッジカバーとを備え、
前記エッジカバーは、前記ベース層の周縁を覆う、ことを特徴とするマット式体脂肪計。
【請求項２】
請求項１に記載のマット式体脂肪計において、
前記生地層は、前記ベース層に粘着されている、ことを特徴とするマット式体脂肪計。
【請求項３】
請求項１または２に記載のマット式体脂肪計において、
前記フットマットのベース層は、ゴム、ハードスポンジ、または発泡材を素材として構成されている、ことを特徴とするマット式体脂肪計。
【請求項４】
請求項１〜３のいずれか１項に記載のマット式体脂肪計において、
前記隔離生地は、カーペットまたはマットとする、ことを特徴とするマット式体脂肪計。
【請求項５】
請求項４に記載のマット式体脂肪計において、
前記エッジカバーは、前記隔離生地の周縁に沿って内方へ凹む構造を有している、ことを特徴とするマット式体脂肪計。
【請求項６】
請求項１〜５のいずれか１項に記載のマット式体脂肪計において、
前記エッジカバーは、前記隔離生地と同じ織物素材を用いて、前記隔離生地と一体的に織られて構成されたものである、ことを特徴とするマット式体脂肪計。
【請求項７】
請求項１〜６のいずれか１項に記載のマット式体脂肪計において、
前記ケースは、上蓋と、基底とによって構成され、前記導電部は、前記上蓋の表面に露出されている、ことを特徴とするマット式体脂肪計。
【請求項８】
請求項７記載のマット式体脂肪計において、
前記基底の下方には、複数のパッドが設置されている、ことを特徴とするマット式体脂肪計。
【請求項９】
請求項１〜８のいずれか１項に記載のマット式体脂肪計において、
前記測定モジュールは、制御回路基板をさらに備え、前記導電部は、前記制御回路基板と電気的に接続され、前記導電部と前記制御回路基板との間に、導電リードが設置されている、ことを特徴とするマット式体脂肪計。
【請求項１０】
請求項１〜９のいずれか１項に記載のマット式体脂肪計において、
前記導電部は、導電性金属または導電性シリコーンによって構成されたものである、ことを特徴とするマット式体脂肪計。
【請求項１１】
請求項１に記載のマット式体脂肪計において、
前記体脂肪計の制御回路基板に無線送信機が設置されており、算出された体脂肪の数値を、化粧台または洗面台にある鏡に設置した無線受信機へ無線通信によって送信し、前記鏡に設けたディスプレイに体脂肪の数値を表示するように構成されていることを特徴とするマット式体脂肪計。
【手続補正２】
【補正対象書類名】明細書
【補正対象項目名】０００８
【補正方法】変更
【補正の内容】
【０００８】
上記目的を達成するため、本発明は、マット式体脂肪計を提供する。当該マット式体脂肪計は、フットマットと当該フットマット内に配置された体脂肪計とを備えており、前記フットマットは、ベース層と、当該ベース層に積層された生地層とを備え、前記ベース層には開口部が設けられており、前記体脂肪計は、前記開口部内に収納されており、前記体脂肪計は、ケースと、当該ケース内に設置された測定モジュールとを備え、当該測定モジュールは、少なくとも、前記ケースの上に露出された導電部を有しており、前記生地層において前記導電部と対応した部位には、センシングユニットが設置されており、前記センシングユニットは、導電性糸を前記生地層に織り込んで、前記生地層の上面から下面まで露出させることによって構成され、前記生地層は、隔離生地と、当該隔離生地の周縁を取り囲むエッジカバーとを備え、前記エッジカバーは、前記ベース層の周縁を覆うことを特徴としている。
【手続補正３】
【補正対象書類名】明細書
【補正対象項目名】００１０
【補正方法】変更
【補正の内容】
【００１０】
また、本発明の上記マット式体脂肪計において、前記隔離生地は、カーペットまたはマットとすることが好ましい。また、前記エッジカバーは、前記隔離生地の周縁に沿って内方へ凹む構造を有するものとしてもよく、さらに、前記エッジカバーは、前記隔離生地と同じ織物素材を用いて、前記隔離生地と一体的に織られて構成されていることが好ましい。
【手続補正４】
【補正対象書類名】明細書
【補正対象項目名】００１２
【補正方法】変更
【補正の内容】
【００１２】
また、本発明の上記マット式体脂肪計において、前記測定モジュールは、制御回路基板をさらに備え、前記導電部は、前記制御回路基板と電気的に接続され、前記導電部と前記制御回路基板との間に、導電リードが設置されていることが好ましい。また、前記導電部は、導電性金属または導電性シリコーンによって構成されていることが好ましい。また、前記体脂肪計の制御回路基板に無線送信機が設置されており、算出された体脂肪の数値を、化粧台または洗面台にある鏡に設置した無線受信機へ無線通信によって送信し、前記鏡に設けたディスプレイに体脂肪の数値を表示するように構成されていることが好ましい。